(57)【要約】【課題】  他人の手を煩わすことなく一人でどこでも手軽に、身体の所望の部位を好みの強さで、マッサージ又は指圧することができる自然木の感触を取り入れて形成したマッサージ・指圧器具の提供。【解決手段】  マッサージ・指圧器具を、自然木のクヌギ又はナラの切り出したままの棒状体１と、ヒノキ材の球体２であって、その一部を切り欠いて円形の平面３に形成した球体２とで構成し、自己の身体の所望の部位を棒状体１又は球体２のいずれかの上に乗せ、自らの体重を掛けながら身体を転動させることにより、棒状体１又は球体２に圧接している身体の部位にそれらからの反作用を働かせ、これにより当該部位にマッサージ・指圧の効果が得られる。【選択図】  図１
2005323948.tif 000002
【特許請求の範囲】
【請求項１】
棒状体及び球体からなり、これを使用する者がその身体の所望の部位を順次該棒状体又は該球体上に押し当てた上で、自ら身体を転動動作させることにより徐々に位置の変動する押し当て部位が該棒状体又は該球体から反作用を受けることによりマッサージ乃至指圧効果を受けることとなるマッサージ・指圧器具であって、
前記棒状体を広葉樹の自然木で構成し、かつ前記球体を木材を加工してその一部に平面を備えた球状物に構成してなるマッサージ・指圧器具。
【請求項２】
前記棒状体として、クヌギ又はナラの自然木を皮付きのまま切り出したものを採用した請求項１のマッサージ・指圧器具。
【請求項３】
前記球体として、ヒノキ材を削り出して形成した球状物を採用した請求項１又は２のマッサージ・指圧器具。
【請求項４】
前記棒状体に、前記球体として、その直径が７０〜１００mmで、前記平面が直径２５〜３５mmの円形になるように形成した球状物を組み合わせた請求項１、２又は３のマッサージ・指圧器具。
【請求項５】
前記棒状体として、直径が６０〜９０mmで、長さを５００〜７００mmに切断した棒材、直径が６０〜１００mmで、長さを１５０〜１７０mmに切断した棒材、直径が４５〜５５mmで、長さを５５〜６５mmに切断した棒材、又は直径が４５〜５５mmで長さを２８０〜３２０mmに切断した棒材のいずれかを採用した請求項４のマッサージ・指圧器具。
【発明の詳細な説明】
【技術分野】
【０００１】
本発明は、所望の身体部位を順次その上に乗せた上で、自らの身体を転動動作させることによって反作用によりその身体にマッサージ効果や指圧効果を与えることができるマッサージ・指圧器具に関するものである。
【背景技術】
【０００２】
従来より肩凝り、手足の凝り、腰の張りなどには、主としてマッサージ、あんま、指圧と言うような他人の手を煩わせての治療が行われてきた。
しかし近年の人手不足や人件費高騰から治療費が嵩むこととなり一人で手軽に治療できる器具の開発が望まれている。またそのような自ら行うマッサージや指圧による治療行為を日常的に行いたいという希望もあり、その面でも手軽に行うことができる効果的な器具の開発が望まれている。
【０００３】
このような一人で手軽に治療できるこの種の器具としては今までに次のような提案がある。
その第１例には、球体の周囲にドーナツ状の鍔を設けたマッサージ器具があり、床に座ったり或いは仰向けに寝て足を伸ばしたリラックス状態で、足のふくらはぎや膝の裏側にこの器具を当て、自分の足の重さで球面を使ってマッサージするものである（特許文献１）。この器具にはドーナツ状の鍔があるので容易に転がらず、バランスがとりやすく、かつ乗せている足から外れにくいとされている。
【０００４】
第２例には、治療器本体を室内の柱に固定して使用する治療器具があり、これはその治療器本体の背面に柱との結合部を構成し、かつ前面に複数の指圧棒挿入孔を設けたもので、その任意の高さの指圧棒挿入孔に付属の指圧棒を挿入した上で、該指圧棒先端に自分の体の指圧したい部位をあてて自分の体重をかけ、自分の好みの圧力で指圧治療すると言う指圧棒移動式治療器である（特許文献２）。
【０００５】
しかし前述の第１例は、足のふくらはぎや膝の裏側に対して自分の体重を使ってマッサージするための治療器具に過ぎず、広範囲に身体の他の部位にも利用できる治療器具ではない。
また第２例は、治療器本体を室内の柱に固定して使用するものであって、室内に適当な柱が無いところでは利用できない。そのため自分の好みの場所に持って行って手軽に利用できる治療器具ではない。
【０００６】
【特許文献１】特開２００３−３３９８１４号公報
【特許文献２】特開２０００−３５０７６９号公報
【発明の開示】
【発明が解決しようとする課題】
【０００７】
本発明は、他人の手を煩わすことなくどこでも手軽に自己の身体の所望の部位に所望の強さでマッサージ効果乃至指圧効果を与えることができる自然木の感触を取り入れて構成したマッサージ・指圧器具を提供することを解決の課題とする。
【課題を解決するための手段】
【０００８】
本発明の１は、棒状体及び球体からなり、これを使用する者がその身体の所望の部位を順次該棒状体又は該球体上に押し当てた上で、自ら身体を転動動作させることにより徐々に位置の変動する押し当て部位が該棒状体又は該球体から反作用を受けることによりマッサージ乃至指圧効果を受けることとなるマッサージ・指圧器具であって、
前記棒状体を広葉樹の自然木で構成し、かつ前記球体を木材を加工してその一部に平面を備えた球状物に構成してなるマッサージ・指圧器具である。
【０００９】
本発明の２は、本発明の１のマッサージ・指圧器具に於いて、前記棒状体として、クヌギ又はナラの自然木を皮付きのまま切り出したものを採用したものである。
【００１０】
本発明の３は、本発明の１又は２のマッサージ・指圧器具に於いて、前記球体として、ヒノキ材を削り出して形成した球状物を採用したものである。
【００１１】
本発明の４は、本発明の１、２又は３のマッサージ・指圧器具に於いて、前記棒状体に、前記球体として、直径が７０〜１００mmで前記平面が直径２５〜３５mmの円形になるように形成した球状物を組み合わせたものである。
【００１２】
本発明の５は、本発明の４のマッサージ・指圧器具に於いて、前記棒状体として、直径が６０〜９０mmで、長さを５００〜７００mmに切断した棒材、直径が６０〜１００mmで、長さを１５０〜１７０mmに切断した棒材、直径が４５〜５５mmで、長さを５５〜６５mmに切断した棒材、又は直径が４５〜５５mmで長さを２８０〜３２０mmに切断した棒材のいずれかを採用したものである。
【発明の効果】
【００１３】
本発明の１のマッサージ・指圧器具によれば、所望の時間に所望の場所でこれを利用することが可能であり、かつ他人の手を煩わすことなく、自らこれを利用して身体の所望の部位に所望の強さのマッサージ乃至指圧効果を与えることができる。
【００１４】
また器具を構成する棒状体として自然木を採用し、球体として木材を採用したので、身体に触れたときに柔らかな温もりと安らぎとを感じ取ることができる。自然木の表皮の凹凸が良好なマッサージ乃至指圧効果を与えてくれるものでもある。
【００１５】
前記球体は、その球面を利用して身体のツボに対する指圧を的確に行えるものであるが、更に前記のように、その一部に平面を備えたものであるため、その平面を畳、絨毯、マット或いは布団の上に置いて使用すると、容易に転がることなく安定した状態に保持することができる。
【００１６】
本発明の２のマッサージ・指圧器具によれば、棒状体がクヌギ又はナラの自然木を皮付きのまま切り出したものであり、その木肌には１〜５mm程度の不規則な溝を有し、更に適度の凹凸や曲がりがあるので、この上に利用者が所望の部位を乗せて体重移動を行った場合に、利用者の着衣（下着やトレーニングウエアなど）が適度にこれに絡み、該着衣を通して利用者の身体に適度のマッサージ乃至指圧的な刺激を与えるようになる。その結果として、利用者はマッサージ乃至指圧的な快感を付与されることとなると共にその刺激によって皮下脂肪の分解をも一層良好に押し進めることができるようになるものである。特に腹部のツボの内、中かん、天枢、帯脈にその刺激が加わると効率的に腹部の皮下脂肪の除去が行われることとなる。
【００１７】
本発明の３のマッサージ・指圧器具によれば、球体を構成するヒノキ材から発散されるヒノキチオールの芳香によって、利用者にリラックス感を与えることができる。
【００１８】
本発明の４のマッサージ・指圧器具によれば、身体の所望の部位を順次棒状体又は球体上に乗せた上で該身体を転動させると、特にその球体のサイズが適切なため、球体を用いた際に、目的の部位により適切なマッサージ的乃至指圧的な圧力を与えることができる。
【００１９】
本発明の５のマッサージ・指圧器具によれば、身体の所望の部位を棒状体又は球体上に乗せた上で該身体を転動させると、特にその棒状体のサイズを使用部位に対応させて使い分けすることができるため、腹部、背中、首周り等の種々の目的の部位に適切なマッサージ的乃至指圧的な圧力を与えることができる。
【発明を実施するための最良の形態】
【００２０】
本発明は、他人の手を煩わすことなく自ら手軽に、自己の身体の所望の部位に所望の強さで、マッサージ乃至指圧的な圧力を加えることのできるマッサージ・指圧器具であり、より具体的には、身体の所望の部位を順次棒状体又は球体上に押し当てた上で、自ら転動動作することによって徐々に位置の変動する押し当て部位が該棒状体等からの反作用によりマッサージ乃至指圧効果を受けることとなるマッサージ・指圧器具である。
【００２１】
即ち、本発明は、以上のような機能を有し、基本的に、広葉樹自然木の棒状体と、木材製の球体であって、その一部に平面を備えた球体とで構成したマッサージ・指圧器具である。
【００２２】
前記棒状体は、主としてやや広範囲の部位のマッサージ乃至指圧に利用するものであり、自然界から所定の長さに切り出したままの広葉樹の自然木を採用する。自然木としてはクヌギ又はナラが好ましく、皮が付いたままのそれを採用する。この棒状体のサイズは、使用者の身体の使用対象部位との関係及び使用者の身体の大きさに合わせて決定するのが適当であり、直径が６０〜９０mmで長さが５００〜７００mmである棒材、直径が６０〜１００mmで長さが１５０〜１７０mmである棒材、直径が４５〜５５mmで長さが５５〜６５mmである棒材、又は直径が４５〜５５mmで長さが２８０〜３２０mmである棒材のそれぞれを準備しておけば、腹部の満遍ない刺激、背中の肩甲骨の周囲等の刺激、若しくは首の背後側の刺激等について、身体の大きさの異なる殆どの人が不都合なく利用することができる。
【００２３】
前記球体は、主として局部の指圧に利用するものであって、前記のように、木材製でその外面の一部に平面を備えた球状の部材であり、特にヒノキ材を採用するのが好ましい。またそのサイズは、直径が７０〜１００mmであるのが好ましい。このようなサイズにすると、この上に乗って横になった利用者が所望の部位をこれに押し当て自らの体重によって圧力を掛けた場合に、該部位に反作用による適度の圧力が掛かることになる。前記平面は、いずれもその直径が２５〜３５mmの円形になるように形成すするのが好ましい。このようなサイズにすることにより、身体の当接面に適切な圧力を加えやすくなり、加えて身体を転動させた場合にも容易に球体自体が転動することがなくなる利点が得られる。
【００２４】
次に本発明のマッサージ・指圧器具の使用方法を説明する。
前述のように本発明のマッサージ・指圧器具は、主として身体のやや広範囲の部位のマッサージ乃至指圧には前記棒状体を使用し、主として身体の局部のマッサージ乃至指圧には前記球体を使用するものである。
【００２５】
利用者は、予め上着を脱いで下着状態となり又はトレーニングウエアなどに着替えて、マッサージ・指圧器具を使用する準備をする。
本発明の二つの部材の内、前記棒状体は次のように使用する。
例えば、該棒状体を畳、絨毯、マット或いは布団などの敷物の上に置き、利用者はこれらの上に横になって、身体の所望の部位をこの棒状体の上に乗せて自分の体重を掛けるようにする。このようにすることで棒状体に接する部位は、自己の体重によって該棒状体に圧接状態となり指圧されたような状態となる。
【００２６】
次いで利用者は、この棒状体の上で身体をゆっくりと左右に転動させ、右向きになったり、左向きになったり、仰向けになったり、俯せになったりする。このように身体をゆっくりと転動させて棒状体への当接部位を変動させると、当接部位は変動しながら適度に揉まれることとなり、これによってマッサージを受けたのと同じような状態になる。この棒状体が自然木を利用したものであるため、初めはごつごつとした違和感を感じることもあるが、暫く利用して慣れてくるとむしろその不定形の凹凸によるごつごつした形状が転動の際に変化のある適切な押圧作用を与え、良好なマッサージ乃至指圧効果を付与するものとなる。
【００２７】
このような使用態様の場合には、前記棒状体として、直径が６０〜９０mmで長さが５００〜７００mmのそれを用いるのが適当であり、身体のいずれの部位でも概ね適切な刺激を与えることができる。またこのサイズの場合には、その上に身体の所望の部位を乗せて転動動作させた場合にその上から容易に落ちるようなことなく、これをスムーズに行うことができる。
【００２８】
特に身体の個別の部位により適切な刺激を求めようとする場合は、その部位のために特に設定した寸法の棒状体を用いることができる。例えば、直径が６０〜１００mmで長さが１５０〜１７０mmの棒状体を用いることにより、特に腹部への刺激を適切に行うことができる。前記したように、適当な敷物の上にこれを置き、俯せになってその上に腹部を乗せ、この状態で身体を左右に転動させ、上下に動かすことにより、腹部の各所を満遍なく適切に刺激することができる。
【００２９】
また直径が４５〜５５mmで長さが５５〜６５mmの棒状体を用いることにより、背中の肩甲骨の間等の刺激を適切に行うことができる。前記したように、適当な敷物の上にこれを置き、仰向けになってその上に背中の肩甲骨の間付近を乗せ、この状態で身体を左右に転動させ、上下に滑らせることにより、背中の肩甲骨の間付近を満遍なくかつ適切に刺激することができる。
【００３０】
更に直径が４５〜５５mmで長さが２８０〜３２０mmの棒状体を用いることにより、枕として使用しつつ首周りの刺激を適切に行うことができる。この場合は、この棒状体は、これにバスタオル等の布材を巻き付けた上で、又は棒状体の上にバスタオル等の布材を折り畳んで載せた上で使用する。バスタオル等の布材を巻き付け又は載せた棒状体は、当然、就寝の際に敷き布団の一端の枕を置く位置に配置して使用する。こうしてこの棒状体上に首を載せて寝ることにより、首に適度な刺激を与えることができる。
【００３１】
また前記棒状体は、自動車を運転する時にシートにセットして使用することも効果的である。
例えば、該棒状体を、自動車のシートの背もたれに適度な高さ位置で横向きに配しておくのが良い。これはヘッドレスト等を利用して吊り下げることにより容易にセットすることができる。自動車のシートの背もたれに、このようにセットしておくと、運転者は運転中に背中や腰の上部がこの棒状体に押し当てられて適度に刺激が与えられ、肩凝りや腰痛の予防をすることができる。
【００３２】
本発明の二つの部材の内、前記球体は次のように使用する。
該球体を、畳、絨毯、マット或いは布団などの敷物の上に、その平面を下にして置く。利用者はこれらの敷物の上に横になり、身体の所望の部位をこの球体の上に乗せて自己の体重を掛ける。これによって身体の所望の部位が自己の体重によってこの球体に押し付けられ、球体からの反作用により指圧された状態となる。このように球体を用いることにより前記棒状体に比較して狭い面積に自分の体重を掛けることとなるので、より強い反作用が所望の部位に掛かって強い指圧を受けたのと同じような効果が得られる。
【００３３】
また前記球体の上に、人の身体の胸や腹部に存在する所謂ツボ、例えば、だん中（リュウマチの改善）、中かん（胃痛等の改善、腹部の脂肪除去）、梁門・関門（虚弱体質の改善）、天枢・帯脈（腹部の脂肪除去）、肓兪（腰痛の解消）などを当てて、自らの体重を掛ければ、これらのツボが押し付けられて指圧を受けたと同じような好ましい結果が得られる。またその際の押し付ける強さは、自らの体重の掛け方の強弱によって任意に調節することができるのは云うまでもない。
【実施例１】
【００３４】
図１(a)に示すように、平均直径約７５mmのクヌギの枝を用意し、長さ約７００mmに切断し、表皮はそのまま保持した状態で水で洗浄し汚れや虫などの付着物を除去し、マッサージ・指圧器具の棒状体１として採用した。同図に示すように、若干曲がりのある棒状体１となった。
【００３５】
他方ヒノキ材を製材加工して直径約９０mmの球状体を形成し、更に該球状体の一部を削除して、図１(b)に示すように、直径が約３０mmとなる円形の平面３を形成した。こうして形成した球状体をマッサージ・指圧器具の球体２として採用した。
【実施例２】
【００３６】
実施例１のそれと同様に処理して、平均直径約７５mmのクヌギの枝を長さ約５００mmに切断し、そのサイズの棒状体１を作成した。
またヒノキ材を製材加工して実施例１のそれと全く同様の球体２を作成した。
【実施例３】
【００３７】
実施例１のそれと同様に処理して、平均直径約８０mmのクヌギの枝を長さ約１６０mmに切断し、そのサイズの棒状体１を作成した。
またヒノキ材を製材加工して実施例１のそれと全く同様の球体２を作成した。
【実施例４】
【００３８】
実施例１のそれと同様に処理して、平均直径約５０mmのクヌギの枝を長さ約６０mmに切断し、そのサイズの棒状体１を作成した。
またヒノキ材を製材加工して実施例１のそれと全く同様の球体２を作成した。
【実施例５】
【００３９】
実施例１のそれと同様に処理して、平均直径約５０mmのクヌギの枝を長さ約３００mmに切断し、そのサイズの棒状体１を作成した。
またヒノキ材を製材加工して実施例１のそれと全く同様の球体２を作成した。
【００４０】
＜実施例のマッサージ・指圧器具のテスト使用＞
＜実施例１のテスト使用＞
テスト使用者が、マット上で、背中側腰部付近は、図２(a)に示すように、腹部付近は同図(b)に示すように、脇腹付近は、同図(c)に示すように、それぞれ棒状体１上に該当する部位を載せた上で、身体を前後方向に動かして該棒状体１をその方向に転がし、かつ身体を左右方向に転動させる態様で使用し、また腹部付近、脇腹付近、背中側腰部付近は、それぞれ図３(a)、(b)、(c)に示すように、該当する部位を球体２上に乗せた上で、身体を前後左右に動かし各方向に該球体２の位置を変える態様で使用した。それぞれについて毎日１０分間程度ずつ３０日間そのテスト使用をした。
【００４１】
＜実施例２のテスト使用＞
棒状体１を、図４(a)、(b)に示すように、ワゴン車の運転席のシートバック５の前に適宜高さで水平状態に配し、運転者であるテスト使用者がこれによって腰から背中にかけてマッサージ乃至指圧を行い得るようにした。棒状体１のシートバック５の前面へのセットは、ヘッドレスト６を利用して、これからロープ７で該棒状体１を肩の高さから腰の上の高さの間に垂下させるようにした。テスト使用者が７時間／日で３０日間のテスト使用をした。球体２については実施例１と同様にテスト使用した。
【００４２】
＜実施例３のテスト使用＞
テスト使用者が、マット上で、腹部付近は、図５(a)に示すように、背中側の腰部付近は、同図(b)に示すように、それぞれ横向き状態の棒状体１上に該当する部位を乗せた上で、いずれも前後方向に身体を動かし、該棒状体１を前後方向に転がす態様で使用した。更に、順次、図６(a)に示すように、縦向き状態の棒状体１上に腹部付近を乗せ、同図(b)に示すように、斜め向きの棒状体１上に腹部付近を乗せ、更に同図(c)に示すように、斜め向きの棒状体１上に腰部付近を乗せた上で、いずれも該棒状体１の長さ方向に直交する方向に身体を動かし、該方向に棒状体１を転がす態様で使用した。球体２については実施例１と同様にテスト使用した。またそれぞれ毎日１０分間程度ずつ３０日間そのテスト使用をした。
【００４３】
＜実施例４のテスト使用＞
テスト使用者が、マット上で、背骨に沿った部位付近については、図７(a)に示すように、横向き状態の棒状体１上に、該背骨に沿った部位を乗せて身体を前後方向に動かし、該棒状体１を背骨に沿っ転動させる態様で使用した。更に両肩甲骨の内側部分付近については、同図(b)に示すように、該部位に沿った向きで配した棒状体１、１上に対応する肩甲骨の内側部位を乗せ、体重により加圧する態様で使用した。球体２については実施例１と同様にテスト使用した。またそれぞれ毎日１０分間程度ずつ３０日間そのテスト使用をした。
【００４４】
＜実施例５のテスト使用＞
棒状体１に、図８(a)、(b)に示すように、バスタオル８を巻き付けて使用した。この状態の棒状体１を図示しない敷布団の端部上に横向きに配置し、毎晩この棒状体１上に首を載せた状態で寝た。寝る前に１０分間程、首を左右に転動させた。球体２については実施例１と同様にテスト使用した。またこのテスト使用は３０日間行った。
【００４５】
実施例１、３〜５のテスト使用者としては５０歳代のやや太り気味で腰痛の男性１０人を採用し、テスト使用して貰った。
実施例２のテスト使用者としては、仕事で自動車の運転をしている５０歳代の男性１０人を採用し、テスト使用して貰った。
【００４６】
＜テスト使用の結果＞
１．実施例１及び３〜５のテスト使用では、使用を開始して３日間前後までは、腰回りに使用した棒状体１のごつごつ感が気になったが、それ以後は適度の刺激感となって気持ち良く使用できたとの感想がほぼ全員から得られた。また腰痛も７人が使用を開始して１０日間前後の経過後から感じなくなり、腰回りが引き締まって来たように感じられたとのことであった。更に球体２の使用では、平面３を下にして置いた上で使用すると、該球体２がマットの上で転がり出すこともなく、使い勝手も良く、ツボの刺激が適当な圧力で行われ、使用後の気分は爽快であったとの感想が全員から得られた。
【００４７】
２．テスト使用２では、やはり使用を開始して初めの２日間位は、腰の上の後ろ側に或いは肩の下の方に使用した棒状体１のごつごつ感が気になったが、それ以後は適度の刺激感となって気持ち良く使用できるようになったとの感想が全員から得られた。また使用を開始して８日間前後の経過後から、自動車の運転中及び自動車から降りたときの腰の張りや肩の張りが感じられなくなり、運転後の気分も爽快となったとの感想を全員から得た。
【００４８】
＜テスト使用結果からの考察＞
１．この実施例１〜５のマッサージ・指圧器具の棒状体１は、この使用に際して初めの２〜３日間位は、身体にごつごつとした違和感を感じるが、それ以後は適度の刺激感となって気持ち良く使用できることになることが判った。
２．またこの実施例１〜５のマッサージ・指圧器具の球体２は、マットの上に置いて使用する際に転がり出すこともなく、使い勝手も良く、ツボを的確に指圧することができることが判った。
３．また腰痛などには、この実施例のマッサージ・指圧器具の使用を開始して、８〜１０日間位経過後から効果が見られるようで、使用後の気分も爽快になることが判った。
【００４９】
４．またこの実施例のマッサージ・指圧器具を自動車の運転席のシートバック６にセットして使用すると、運転者の肩の張りや腰の張りが軽減して、運転後の気分も爽快となることが判った。
５．更にこの実施例のマッサージ・指圧器具は、これを腰回りに使用した時に、腰回りが引き締まって来たように感じられたとのことから、皮下脂肪の除去（皮下脂肪の分解）にも効果があることが判る。
【００５０】
６．実施例１及び３のテスト使用では、腹部付近の中かん、梁門、関門、こうゆ、天枢、石門、関元等、脇腹付近の帯脈、背中側腰部付近の大腸ゆ、関元ゆ、小腸ゆ等のツボが刺激されることとなり、虚弱体質が改善され、腹部の脂肪が除去され、胃の不調が改善される等の作用が得られ、これらが以上の結果となって現れたと考えられる。
７．実施例２のテスト使用では、高さを種々に変えることにより、第６頸椎点、第７頸椎点、肩根点、肩井及び天りょう等、或いは大腸ゆ、関元ゆ、小腸ゆ等のツボが刺激されることとなり、肩こりの解消や便秘の解消作用が働き、これが前記の結果となって現れたと考えられる。
８．実施例４のテスト使用では、第６頸椎点、第７頸椎点、肩根点、肩井及び天りょう等のツボが刺激されることとなり、特に肩こり等が解消され、これが前記の結果となって現れたと考えられる。
９．実施例５のテスト使用では、第３から第７頸椎点等のツボが刺激され、白髪や抜け毛が予防され、健康状態が高まり、これが前記の結果となって現れたと考えられる。
【図面の簡単な説明】
【００５１】
【図１】(a)は実施例の棒状体の概略斜視図、(b)実施例の球体の概略斜視図。
【図２】(a)、(b)、(c)は各々実施例１の棒状体の使用状態を示す説明図。
【図３】(a)、(b)、(c)は各々実施例１の球体の使用状態を示す説明図。
【図４】(a)は実施例２の棒状体を自動車の運転席にセットした状態の正面説明図、(b)は実施例２の棒状体を自動車の運転席にセットした状態の側面説明図。
【図５】(a)は実施例３の棒状体の腹部側での使用状態を示す説明図、(b)は実施例３の棒状体の背中側での使用状態を示す説明図。
【図６】(a)は実施例３の棒状体の腹部側での使用状態の内、該棒状体を縦向きにした態様の使用状態を示す説明図、(b)は該棒状体を斜め向きにした態様の使用状態を示す説明図、(c)は腰部付近で斜め向きにした態様の使用状態を示す説明図。
【図７】(a)は実施例４の棒状体の背骨に沿った位置での使用態様を示す説明図、(b)は棒状体の肩甲骨に沿った位置での使用態様を示す説明図。
【図８】(a)は実施例５の棒状体にバスタオルを巻き付け始めた状態を示す説明図、(b)は棒状体にバスタオルを巻き付けた状態を示す説明図。
【図９】実施例５の棒状体の使用状態を示す説明図。
【符号の説明】
【００５２】
１    棒状体
２    球体
３    平面
４    利用者
５    シートバック
６    ヘッドレスト
７    ロープ
８    バスタオル
【図１】
2005323948.tif 000003
【図２】
2005323948.tif 000004
【図３】
2005323948.tif 000005
【図４】
2005323948.tif 000006
【図５】
2005323948.tif 000007
【図６】
2005323948.tif 000008
【図７】
2005323948.tif 000009
【図８】
2005323948.tif 000010
【図９】
2005323948.tif 000011